(57)【要約】【課題】増幅回路の出力直後に抵抗を接続するか否かを制御することで、電流の損失とリプル電力を抑制できる液晶表示装置を提供する。【解決手段】Ｔ−ＣＯＮ１１２の負荷状態判別回路１１２ａがモード切替信号またはチャネル切替信号を入力すると、液晶パネル１２０の画素パターンにより液晶パネル１２０の負荷状態を判別する。負荷状態判別回路１１２ａにより液晶パネル１２０が通常負荷であると判定されたときは、出力抵抗切替信号に「ＯＮ」を設定し出力抵抗回路部１５２に出力する。負荷状態判別回路１１２ａにより液晶パネル１２０が重負荷であると判定されたときには、出力抵抗切替信号に「ＯＦＦ」を設定し出力抵抗回路部１５２に出力する。出力抵抗回路部１５２は、出力抵抗切替信号が「ＯＮ」のときにはスイッチを閉じることで抵抗を短絡させ、出力抵抗切替信号が「ＯＦＦ」のときにはスイッチを開くことで抵抗を挿入する。【選択図】図２
2012145848.tif 000002
【特許請求の範囲】
【請求項１】
液晶パネルの駆動用電源電圧を生成する電源電圧生成回路と
前記電源電圧生成回路の出力抵抗を変更する出力抵抗変更回路とを
備えることを特徴とする液晶表示装置。
【請求項２】
前記出力抵抗変更回路は、１つの抵抗値と０オームを切り替えることを特徴とする
請求項１に記載の液晶表示装置。
【請求項３】
前記電源電圧生成回路の負荷状態を判別する負荷状態判別部を備え、
前記負荷状態判別部の判別結果に応じて、前記出力抵抗変更回路を制御することを特徴とする請求項１または請求項２に記載の液晶表示装置。
【請求項４】
前記負荷状態判別部は、増幅回路の負荷状態が大きいと判別した場合に、前記出力抵抗変更回路の抵抗値を大きくし、負荷状態が小さいと判別した場合に、前記出力抵抗変更回路の抵抗値を小さくすることを特徴とする請求項３に記載の液晶表示装置。
【請求項５】
前記負荷状態判別部は、前記液晶パネルの画素単位のデータ変動量によって判別することを特徴とする請求項３または請求項４に記載の液晶表示装置。
【請求項６】
前記負荷状態判別部は、モード切替信号またはチャンネル切替信号に基づいて判別することを特徴とする請求項３または請求項４に記載の液晶表示装置。
【請求項７】
前記負荷状態判別部は、前記電源電圧生成回路の温度によって判別することを特徴とする請求項３または請求項４に記載の液晶表示装置。
【発明の詳細な説明】
【技術分野】
【０００１】
本発明は、増幅回路を備えた液晶表示装置に関する。
【背景技術】
【０００２】
液晶表示装置には、一般にコントロール基板（以下、「ＣＴＬ基板」という）や液晶パネルが備えられている。このＣＴＬ基板では液晶パネルを駆動するための電源電圧が生成され、液晶パネルに供給されている。また、液晶パネルを駆動するためには大きな電流が必要なため、ＣＴＬ基板に増幅回路が設けられ、この増幅回路によって電流を増幅させ液晶パネルに電流を供給している。ところで、液晶パネルに表示する映像信号のパターンによっては、通常より大きな電流が必要となるため、増幅回路の発熱が増大することがある。特に、表示パネルが特殊な映像信号パターンに従って駆動しなければならないときには、液晶パネルの電源電圧が脈動するため、増幅回路にはこの脈動電圧（リプル電圧）を抑制しようとして更に大電流が流れる。このため、増幅回路の発熱が更に増大することがある。従来は、この増幅回路の発熱を抑制する対策として、増幅回路の出力直後に抵抗を直列に接続していた。しかし、増幅回路から出力される電流が抵抗を通ることで電力損失が増加し、また抵抗により液晶パネルに印可される電圧のリプル電圧が更に大きくなる。このため従来は、抵抗の直後に増幅回路の負荷の大きさに対応したコンデンサを接続し、このコンデンサから液晶パネルに電源電圧を供給することでリプル電圧を抑制していた。このような増幅回路による発熱を低減する技術として特開２００１−２８２１９３号公報（特許文献１）を挙げることができる。
【先行技術文献】
【特許文献】
【０００３】
【特許文献１】特開２００１−２８２１９３号公報
【発明の概要】
【発明が解決しようとする課題】
【０００４】
上記のように、表示パネルが特殊な映像信号パターンに従って駆動しなければならないときには、増幅回路の発熱が増大するという問題があった。特に、液晶表示装置において、信号電極の点灯／非点灯が交互に繰り返されるような表示パターン、例えば１ドット毎に点灯／非点灯する市松表示や、走査線１ライン毎に点灯／非点灯を繰り返すシマ表示等のいわゆる重負荷表示では、出力電流が大きく変化するに伴って増幅回路には大きな損失が発生し、オペアンプ等の素子自体が高温になる。この対策として抵抗を接続しているが、上記のように抵抗によるリプル電圧が増大していた。また、通常の映像信号パターンでは、増幅回路の発熱を抑制する必要がないにもかかわらず、増幅回路の出力直後に抵抗が接続されるので、この抵抗により電力損失が発生し、またリプル電圧が増大していた。上記特許文献１に開示の技術では、液晶駆動用電圧発生回路のオペアンプの発熱を低減し、周囲温度が高い環境下でも液晶駆動用電圧発生回路を安定して駆動させることで、液晶パネルの画質を改善する液晶表示装置を提示している。しかしながら、特許文献１に開示の技術は、オペアンプの発熱を低減しているが、上記増幅回路の出力直後に接続された抵抗による電力損失を抑制することはできない。
【０００５】
本発明はこのような状況に鑑みてなされたものであり、上記課題を解決できる液晶表示装置を提供することを目的とする。
【課題を解決するための手段】
【０００６】
本発明の液晶表示装置は、液晶パネルの駆動用電源電圧を生成する電源電圧生成回路と前記電源電圧生成回路の出力抵抗を変更する出力抵抗変更回路とを備えることを特徴としている。
また、本発明の液晶表示装置の前記出力抵抗変更回路は、１つの抵抗値と０オームを切り替えることを特徴としている。
また、本発明の液晶表示装置は、前記電源電圧生成回路の負荷状態を判別する負荷状態判別部を備え、前記負荷状態判別部の判別結果に応じて、前記出力抵抗変更回路を制御することを特徴としている。
また、本発明の液晶表示装置の前記負荷状態判別部は、増幅回路の負荷状態が大きいと判別した場合に、前記出力抵抗変更回路の抵抗値を大きくし、負荷状態が小さいと判別した場合に、前記出力抵抗変更回路の抵抗値を小さくすることを特徴としている。
また、本発明の液晶表示装置の前記負荷状態判別部は、前記液晶パネルの画素単位のデータ変動量によって判別することを特徴としている。
また、本発明の液晶表示装置の前記負荷状態判別部は、モード切替信号またはチャンネル切替信号に基づいて判別することを特徴としている。
また、本発明の液晶表示装置の前記負荷状態判別部は、前記電源電圧生成回路の温度によって判別することを特徴としている。
【発明の効果】
【０００７】
本発明によれば、映像信号パターンを基に増幅回路の出力直後に抵抗を接続するか否かを制御することができ、増幅回路の発熱が増大すると予想される映像信号パターンが入力されたときには抵抗を挿入して発熱を抑制し、また増幅回路の発熱が増大しない通常の映像パターンが入力されたときには抵抗を短絡することで、抵抗による電流の損失とリプル電圧を抑制できる液晶表示装置を提供する。
【図面の簡単な説明】
【０００８】
【図１】本発明の第１の実施形態に係る液晶表示装置の構成を示す図である。
【図２】本発明の第１の実施形態に係るＣＴＬ基板とＴ−ＣＯＮの構成を示す図である。
【図３】本発明の第１の実施形態に係るレベルシフタにおける信号線の接続関係を示す図である。
【図４】本発明の第１の実施形態に係るレベルシフタの入力信号と出力信号の波形を示す図である。
【図５】本発明の第１の実施形態に係る増幅回路の出力直後に接続される出力抵抗の構造を示す図である。
【図６】本発明の第２の実施形態に係る増幅回路の構成を示す図である。
【発明を実施するための形態】
【０００９】
以下、本発明を実施するための第１の実施形態（以下、「実施形態１」という）を、図面を参照して説明する。
【００１０】
図１に、実施形態１に係る液晶表示装置１００の構成を示す。映像表示装置１００は、映像回路部１１０、液晶パネル１２０、ソースドライバ１３０、ゲートドライバ１４０、ＣＴＬ基板１５０（電源電圧生成回路）、及び電源部１６０から構成されている。映像回路部１１０は、画像処理部１１１とタイミングコントローラ（以下、「Ｔ−ＣＯＮ」という）１１２を備えている。ソースドライバ１３０とゲートドライバ１４０は、液晶パネル１２０に実装されるドライバである。
【００１１】
映像回路部１１０は、テレビ受信機のチューナ部や外部機器としてのＤＶＤ再生装置などの映像機器から出力される映像信号を入力し、液晶パネル１２０に映像信号の映像を表示するための処理を行う回路である。画像処理部１１１は、映像信号を入力すると映像信号の復号を行い、復号した映像データに基づいて映像信号データ、垂直同期信号、及び水平同期信号を生成し、Ｔ−ＣＯＮ１１２に出力する。Ｔ−ＣＯＮ１１２は、画像処理部１１１から入力された映像信号データの画素１ライン分のデータをソースドライバ１３０に順次出力する。
【００１２】
ソースドライバ１３０は、液晶パネル１２０のマトリックス状に配置されたＴＦＴ(Thin Film Transisto)群のソースバスラインを駆動するための回路である。ゲートドライバ１４０は、液晶パネル１２０のマトリックス状に配置されたＴＦＴ(Thin Film Transisto)群のゲートバスラインを駆動するための回路である。ゲートドライバ１４０は、Ｔ−ＣＯＮ１１２が１ラインの画素の電圧データをソースドライバ１３０に出力を完了した時点で、Ｔ−ＣＯＮ１１２が出力した特定の画素の１ライン（以下、「画素ライン」という）を選択する。そして、ソースドライバ１３０は、Ｔ−ＣＯＮ１１２から受けた画素１ライン分のデータをソースバスラインに出力し、ゲートドライバ１４０が選択した画素ラインの全画素のデータがソースドライバ１３０からのデータに更新される。ゲートドライバ１４０は、画素ラインのデータを更新終了すると、次の画素ラインを選択する。そして、ソースドライバ１３０は、Ｔ−ＣＯＮ１１２から新たに受けた画素１ライン分のデータをソースバスラインに出力し、ゲートドライバ１４０で選択された次の画素ラインのデータが更新される。以上により、液晶パネル１２０は、全ての画素ラインの画素についてデータ更新を１フィールド期間中に行い、フィールド期間ごとに液晶パネル１２０における全ての画素ラインについて画素のデータ更新を繰り返す。このように液晶パネル１２０は、映像信号データの出力すなわち画素のデータ更新を垂直同期信号に基づいて一定のタイミング、すなわちフィールド期間ごとに繰り返すことで、映像を表示する。
【００１３】
ＣＴＬ基板１５０は、電源部１６０から電源が供給されると液晶パネルを駆動するための電源電圧を生成し、液晶パネル１２０に供給する。Ｔ−ＣＯＮ１１２は、ゲーム映像などのダイナミックモードやテレビジョン放送などのスタンダードモードなどのモードを切り替える信号（以下、「モード切替信号」という）と、テレビジョン放送のチャンネルや外部記憶装置のチャンネルなどのチャンネルを切り替える信号（以下、「チャネル切替信号」という）を入力する。そしてＴ−ＣＯＮ１１２は、モード切替信号とチャネル切替信号に基づいて、ＣＴＬ基板１５０に設けられている増幅回路の出力直後に接続されている抵抗を切り替える信号（以下、「出力抵抗切替信号」という）をＣＴＬ基板１５０に出力する。ＣＴＬ基板１５０は、Ｔ−ＣＯＮ１１２から出力抵抗切替信号を入力すると、出力抵抗切替信号に基づいて抵抗の切替制御を行う。ＣＴＬ基板１５０とＴ−ＣＯＮ１１２の本発明に係る部分の構成については、後述する。電源部１６０は、映像回路部１１０に電源を供給するとともに、ＣＴＬ基板１５０を経由して液晶パネル１２０にも電源を供給する。
【００１４】
図２に、実施形態１に係るＣＴＬ基板１５０とＴ−ＣＯＮ１１２の構成を示す。図２には、ＣＴＬ基板１５０とＴ−ＣＯＮ１１２において、本発明に係る部分のみを図示している。ＣＴＬ基板１５０は、増幅回路１５１、出力抵抗回路部１５２（出力抵抗変更回路）、及びレベルシフタ１５３から構成されている。Ｔ−ＣＯＮ１１２は、負荷状態判別回路１１２ａ（負荷状態判別部）を備えている。増幅回路１５１は、ボルテージフォロアを構成し、所定の電圧Ｖ１を入力すると入力電圧に応じた電圧を出力するが、出力可能電流は増幅回路１５１により増幅されている。この増幅回路１５１の出力は、出力抵抗回路部１５２に出力される。出力抵抗回路部１５２は、Ｔ−ＣＯＮ１１２の負荷状態判別回路１１２ａから出力される出力抵抗切替信号に基づいて抵抗を挿入するか否かの切り替えを行う回路で、１つの抵抗値と０オームの切り替えを行う。出力抵抗回路部１５２の構造については、後述する。レベルシフタ１５３は、出力抵抗回路部１５２の出力電位を調整し、液晶パネル１２０に出力する。Ｔ−ＣＯＮ１１２の負荷状態判別回路１１２ａは、モード切替信号とチャネル切替信号を入力するとこれらの信号に基づいて液晶パネル１２０の負荷状態を判定し、判定した結果を出力抵抗切替信号として出力抵抗回路部１５２に出力する。負荷状態判別回路１１２ａは、増幅回路１５１の負荷状態が大きいと判別した場合に、出力抵抗回路部１５２の抵抗値を大きくし、負荷状態が小さいと判別した場合に、出力抵抗回路部１５２の抵抗値を小さくするようにする。
【００１５】
図３に、実施形態１に係るレベルシフタ１５３の具体的一例を示す。図３に示すようにレベルシフタ１５３は、Ｔ−ＣＯＮ１１２からお互いの位相がずれている入力信号Ａと入力信号Ｂ（以下、１ペアの入力信号とする）の６ペア分の信号を入力する。また、レベルシフタ１５３は、電源部１６０から出力抵抗回路部１５２を経由して増幅回路１５１ａの電圧（ＶＣＳ＋１）、増幅回路１５１ｂの電圧（ＶＣＳ＋２）、増幅回路１５１ｃの電圧（ＶＣＳ−２）、及び増幅回路１５１ｄの電圧（ＶＣＳ−１）を入力すると、入力信号Ａと入力信号Ｂの波形をレベルシフトさせた出力信号を液晶パネル１２０に出力する。図４に、実施形態１に係るレベルシフタの入力信号と出力信号の波形を示す。図４（１）に、お互いの位相がずれている入力信号Ａと入力信号Ｂの波形を示す。レベルシフタ１５３がこのような入力信号Ａと入力信号Ｂに対して、電圧（ＶＣＳ＋１）、電圧（ＶＣＳ＋２）、電圧（ＶＣＳ−２）、及び電圧（ＶＣＳ−１）をかけることで図４（２）に示すレベルシフトされた出力信号が生成される。
【００１６】
図５に、実施形態１に係る増幅回路１５１に接続される出力抵抗回路部１５２の構造を示す。図５に示すように、出力抵抗回路部１５２は抵抗１５２ａ及び抵抗１５２ａに並列接続されたスイッチ１５２ｂから構成されている。スイッチ１５２ｂは、出力抵抗切替信号に基づいて開閉され、抵抗１５２ａの接続が制御される。すなわち、スイッチ１５２ｂがＯＦＦされると抵抗１５２ａが挿入され、スイッチ１５２ｂがＯＮされると抵抗１５２ａは短絡される。
【００１７】
次に、図２と図５を用いてＴ−ＣＯＮ１１２がモード切替信号またはチャネル切替信号を入力してからＣＴＬ基板１５０の出力抵抗回路部１５２に出力抵抗切替信号を出力するまでの処理について説明する。液晶表示装置１００の表示モードが切り替えられると、Ｔ−ＣＯＮ１１２にモード切替信号が出力される。また、液晶表示装置１００のチャネルが切り替えられると、Ｔ−ＣＯＮ１１２にチャネル切替信号が出力される。Ｔ−ＣＯＮ１１２の負荷状態判別回路１１２ａがモード切替信号またはチャネル切替信号を入力すると、モード切替信号またはチャネル切替信号に基づいて液晶パネル１２０の負荷状態を判別する。液晶パネル１２０の負荷状態を判別する方法としては、液晶パネル１２０の各々の画素において、各々の明暗の差が大きい、隣り合う画素においてデータの差が大きい、表示しているフレームと次に表示されるフレームとデータの差が大きい、又は表示しているフレームと次に表示されるフレームにおいて同じ画素に着目したときにデータの差が大きいなどの画素単位のデータ変動量を検出することで判別を行う。負荷状態が重い映像パターンの例として、例えば繰り返し間隔の狭い千鳥パターンを挙げることができる。つまり、画素の明暗が高速で繰り返される千鳥パターンの場合、単位時間当たりに切り替えられる画素データ数、言い換えると、電流の流れている画素の数が増大することになり、液晶パネルに流れる電流が増大することになる。
【００１８】
負荷状態判別回路１１２ａによって液晶パネル１２０の負荷状態が判別され、液晶パネル１２０が通常負荷であると判定されたときに、負荷状態判別回路１１２ａは、出力抵抗切替信号に「ＯＮ」を設定し出力抵抗回路部１５２に出力する。また、負荷状態判別回路１１２ａによって液晶パネル１２０が重負荷であると判定されたときに、負荷状態判別回路１１２ａは、出力抵抗切替信号に「ＯＦＦ」を設定し出力抵抗回路部１５２に出力する。出力抵抗回路部１５２は、出力抵抗切替信号を入力し、出力抵抗切替信号が「ＯＮ」であるか「ＯＦＦ」であるかを判別する。出力抵抗切替信号が「ＯＮ」のときには、出力抵抗回路部１５２はスイッチ１５２ｂを閉じるように切り替える。このように出力抵抗回路部１５２のスイッチ１５２ｂを閉じることで、抵抗１５２ａが短絡される。また、出力抵抗切替信号が「ＯＦＦ」のときには、出力抵抗回路部１５２は、スイッチ１５２ｂを開くように切り替える。このように出力抵抗回路部１５２のスイッチ１５２ｂを開くことで、抵抗１５２ａが挿入される。
【００１９】
このように、液晶パネル１２０が重負荷であるときに出力抵抗回路部１５２の抵抗１５２ａを挿入し、液晶パネル１２０が通常負荷であるときに出力抵抗回路部１５２の抵抗１５２ａを短絡するようにする。つまり、液晶パネル１２０が重負荷であるときには、増幅回路１５１の発熱が増大するので抵抗１５２ａを通すことで発熱の増大を抑制し、また増幅回路１５１の発熱が増大しないときには抵抗１５２ａを通さないようにすることで、抵抗１５２ａによる電流の損失とリプル電圧を抑制することができる。
【００２０】
尚、実施形態１において、抵抗１５２ａを電界効果トランジスタ（ＦＥＴ）などの可変抵抗にし、可変抵抗の値を変更するようにしてもよい。この場合は、重負荷であるときに出力抵抗回路部１５２の可変抵抗の値を高く設定し、液晶パネル１２０が通常負荷であるときには出力抵抗回路部１５２の可変抵抗の値を低く設定する。このように液晶パネル１２０の負荷状態に対応して可変抵抗の値を変更することで、抵抗を通す必要がないときに抵抗値を低く設定できるので、電流の損失とリプル電圧を抑制することができる。
【００２１】
次に、本発明を実施するための第２の実施形態（以下、「実施形態２」という）を、図面を参照して説明する。尚、実施形態２に係る液晶表示装置の構成は、ＣＴＬ基板１５０がＣＴＬ基板１５０ａに変更され、Ｔ−ＣＯＮ１１２からＣＴＬ基板１５０に出力抵抗切替信号を出力しないこと以外は、図１に示す実施形態１の液晶表示装置１００の構成に同じである。また、実施形態２に係る出力抵抗回路部１５２の構造は、図５に示す実施形態１の出力抵抗１５２の構造に同じである。
【００２２】
図６に、実施形態２に係るＣＴＬ基板１５０ａの構成を示す。図６には、ＣＴＬ基板１５０ａにおいて、本発明に係る部分のみを図示している。ＣＴＬ基板１５０ａは、増幅回路１５１、出力抵抗回路部１５２、レベルシフタ１５３、及び温度センサ１５４から構成されている。増幅回路１５１は、ボルテージフォロアを構成し、所定の電圧Ｖ１を入力すると入力電圧に応じた電圧を出力するが、出力可能電流は増幅回路１５１により増幅されている。この増幅回路１５１の出力は、出力抵抗回路部１５２に出力される。出力抵抗回路部１５２は、温度センサ１５４から出力される出力抵抗切替信号に基づいて抵抗を挿入するか否かの切り替えを行う回路である。レベルシフタ１５３は、増幅回路１５１の出力電位を調整し、液晶パネル１２０に出力する。温度センサ１５４は、ＣＴＬ基板１５０ａ内部の温度を計測することで、増幅回路１５１の発熱が増大しているか否かを判定することができる。つまり、増幅回路１５１の発熱が増大していればＣＴＬ基板１５０ａ内部の温度が高温となる。従って、温度センサ１５４は、計測した温度を判定し、判定した結果を出力抵抗切替信号として出力抵抗回路部１５２に出力する。
【００２３】
温度センサ１５４によって、増幅回路１５１の発熱状態が判別され、増幅回路１５１の発熱が増大していないと判定されたときに温度センサ１５４は、出力抵抗切替信号を「ＯＮ」として出力抵抗回路部１５２に出力する。また、温度センサ１５４によって、増幅回路１５１の発熱が増大していると判定されたときに温度センサ１５４は、出力抵抗切替信号を「ＯＦＦ」として出力抵抗回路部１５２に出力する。出力抵抗回路部１５２は、出力抵抗切替信号を入力し、出力抵抗切替信号が「ＯＮ」であるか「ＯＦＦ」であるかを判別する。出力抵抗切替信号が「ＯＮ」のときには、出力抵抗回路部１５２はスイッチ１５２ｂを閉じるように切り替える。このように出力抵抗回路部１５２のスイッチ１５２ｂを閉じることで、抵抗１５２ａは短絡される。また、出力抵抗切替信号が「ＯＦＦ」のときには、出力抵抗回路部１５２は、スイッチ１５２ｂを開くように切り替える。このように出力抵抗回路部１５２のスイッチ１５２ｂを開くことで、抵抗１５２ａが挿入される。
【００２４】
このように、増幅回路１５１の発熱が増大しているときに出力抵抗回路部１５２の抵抗１５２ａを通すようにし、増幅回路１５１の発熱が増大していないときに出力抵抗回路部１５２の抵抗１５２ａを通さないようにする。つまり、液晶パネル１２０が重負荷であるときには、増幅回路１５１の発熱が増大するので抵抗１５２ａを通すことで発熱の増大を抑制し、また増幅回路１５１の発熱が増大しないときには抵抗１５２ａを通さないようにすることで、抵抗１５２ａによる電流の損失とリプル電圧を抑制することができる。また、従来は温度センサ１５４により増幅回路１５１の発熱の増大を検出した場合には、増幅回路１５１自体を停止させることで液晶表示装置１００も停止していたが、このようにスイッチ１５２ｂにより抵抗１５２ａを切り替えることで、液晶表示装置１００が停止する回数を削減することができる。
【００２５】
尚、実施形態２において、ＣＴＬ基板１５０ａに、増幅回路１５１、出力抵抗回路部１５２、レベルシフタ１５３、及び温度センサ１５４を備えることで実現しているが、アンプＩＣに増幅回路１５１、抵抗１５２ａ、スイッチ１５２ｂ、レベルシフタ１５３、及び温度センサ１５４を備えるようにし、アンプＩＣをＣＴＬ基板１５０ａに設置することで実現するようにしてもよい。
【００２６】
以上、本実施形態によると、増幅回路１５１の出力直後に接続される出力抵抗回路部１５２を制御することができるので、表示パネル１２０が特殊な映像信号パターンに従って駆動することで増幅回路の発熱が増大するときには、抵抗を通すので発熱を抑制できる。また、表示パネル１２０が通常の映像信号パターンに従って駆動することで増幅回路の発熱が増大しないときには、抵抗を通さないので抵抗による電流の損失とリプル電圧を抑制できる。
【００２７】
以上、本発明の実施形態に基づいて説明したが、この実施形態は例示であり、それらの各構成要素の組み合わせにいろいろな変形例が可能なこと、またそうした変形例も本発明の範囲にあることは当業者に理解されるところである。
【符号の説明】
【００２８】
１００・・・・・液晶表示装置
１１０・・・・・映像回路部
１１１・・・・・画像処理部
１１２・・・・・Ｔ−ＣＯＮ
１１２ａ・・・・負荷状態判別回路（負荷状態判別部）
１２０・・・・・液晶パネル
１３０・・・・・ソースドライバ
１４０・・・・・ゲートドライバ
１５０・・・・・ＣＴＬ基板（電源電圧生成回路）
１５０ａ・・・・ＣＴＬ基板（電源電圧生成回路）
１５１・・・・・増幅回路
１５１ａ・・・・増幅回路
１５１ｂ・・・・増幅回路
１５１ｃ・・・・増幅回路
１５１ｄ・・・・増幅回路
１５２・・・・・出力抵抗回路部（出力抵抗変更回路）
１５２ａ・・・・抵抗
１５２ｂ・・・・スイッチ
１５３・・・・・レベルシフタ
１５４・・・・・温度センサ
１６０・・・・・電源部
【図１】
2012145848.tif 000003
【図２】
2012145848.tif 000004
【図３】
2012145848.tif 000005
【図４】
2012145848.tif 000006
【図５】
2012145848.tif 000007
【図６】
2012145848.tif 000008